(57)【特許請求の範囲】
【請求項１】
パラボラアンテナに対して一定の位置関係を保つように受信部支持アームを介して連結される高周波信号受信部は、パラボラアンテナからの信号を受入れる為の一次放射器と、一次放射器から入来する信号を周波数変換する為のコンバータ−本体と、コンバータ−本体から信号を出力させる為にコンバータ−本体の下方に装着してある出力端子と、上記信号受信部を受信部支持アームの先部に連結する為の連結部材と、上記一次放射器とコンバータ−本体とを包被するようにしたカバーとを備えており、上記出力端子はコンバータ−本体の下方に付設した下向き筒状の台座と、台座の中央部下方に設けたコネクタ接続部とを有しており、上記台座の周囲には、下方が解放された環状の防水キャップ挿入間隙を隔て、かつ、上方を台座に一体化した防水囲壁を形成し、上記台座の外周面には、上記台座の中央部下方に設けたコネクタ接続部を包被するように周設する防水キャップの上部を密着させ得るようにしてあるアンテナ装置における高周波信号受信部において、上記カバーの下方には中空で環状に形成した防水筒体を一体的に付設させ、その防水筒体は、防水囲壁より下方において上記コネクタ接続部を包被するように周設する防水キャップを取り囲み、内側に僅かな防水キャップ抜差用の環状の間隙が形成されるように配置し、上記防水筒体の上部位置は、上記防水囲壁の下端との間に、下方から入る空気をカバー内に向けて逃す為の間隙を隔てた状態で配置したことを特徴とするアンテナ装置における信号受信部の構造。
【発明の詳細な説明】
【０００１】
【発明の属する技術分野】
本発明は、パラボラアンテナと、パラボラアンテナに対して一定の位置関係を保つように受信部支持アームを介して連結されている高周波信号受信部とを備えるアンテナ装置に関するものであり、詳しくは、パラボラアンテナからの信号を受入れる為の一次放射器と、一次放射器から入来する信号を周波数変換する為のコンバータ−本体と、コンバータ−本体から信号を出力させる為にコンバータ−本体の下方に装着してある出力端子と、上記信号受信部を受信部支持アームの先部に連結する為の連結部材と、上記一次放射器とコンバータ−本体とを包被するようにしたカバーとを備えているアンテナ装置における信号受信部の構造に関する。
【０００２】
【従来の技術】
従来より広く知られている上記信号受信部において、コンバータ−本体から信号を出力させる為にコンバータ−本体の下方に装着してある出力端子にあっては、コンバータ−本体の下方に付設した下向き筒状の台座と、台座の中央部下方に設けたコネクタ接続部とを有しており、上記台座の周囲には、下方が解放された環状の防水キャップ挿入間隙を隔て、かつ、上方を台座に一体化した防水囲壁を形成し、上記台座の外周面には、上記台座の中央部下方に設けたコネクタ接続部を包被するように周設する防水キャップの上部を密着させ得るようにしてある。
従って、防水キャップで包被されたコネクタ接続部は強風を伴う雨に曝されてもコネクタ接続部に雨水が浸入することはなく、そこに好ましい絶縁状態を維持する利点がある。
【０００３】
【発明が解決しようとする課題】
しかし、この従来のアンテナ装置における信号受信部の構造では、暴風雨のときにおいて、防水キャップの周囲に付着する水滴が瞬間的な強風によって吹き上げられ、上記防水囲壁の内側における下方が解放された環状の防水キャップ挿入間隙に押し上げられ、引き続き強い圧力によって防水キャップの上部内側における密着部を開いて通過し、コネクタ接続部に至り、そこの絶縁を破壊する問題点があった。
【０００４】
本件出願のアンテナ装置における信号受信部の構造は、上記従来技術の問題点を解決する為に提供するものである。
本件出願の目的は、一次放射器と、コンバータ−本体とをカバーによって包被することにより、外観的に美しくしたアンテナ装置における信号受信部の構造を提供しようとするものである。
他の目的は、コンバーター本体の下方に付設するコネクタ接続部に防水キャップを被せることによって強風を伴う雨から保護できるようにしたアンテナ装置における信号受信部の構造を提供しようとするものである。
他の目的は、コネクタ接続部に防水キャップを被せ、強風を伴う雨から保護するのみならず、暴風雨のときにおいて、瞬間的に強力な風が下方から吹き上げた場合においても、水滴がコネクタ接続部に至ることのないようにしたアンテナ装置における信号受信部の構造を提供しようとするものである。
他の目的及び利点は図面及びそれに関連した以下の説明により容易に明らかになるであろう。
【０００５】
【課題を解決するための手段】
本願発明におけるアンテナ装置における信号受信部の構造は、パラボラアンテナに対して一定の位置関係を保つように受信部支持アームを介して連結される高周波信号受信部は、パラボラアンテナからの信号を受入れる為の一次放射器と、一次放射器から入来する信号を周波数変換する為のコンバータ−本体と、コンバータ−本体から信号を出力させる為にコンバータ−本体の下方に装着してある出力端子と、上記信号受信部を受信部支持アームの先部に連結する為の連結部材と、上記一次放射器とコンバータ−本体とを包被するようにしたカバーとを備えており、上記出力端子はコンバータ−本体の下方に付設した下向き筒状の台座と、台座の中央部下方に設けたコネクタ接続部とを有しており、上記台座の周囲には、下方が解放された環状の防水キャップ挿入間隙を隔て、かつ、上方を台座に一体化した防水囲壁を形成し、上記台座の外周面には、上記台座の中央部下方に設けたコネクタ接続部を包被するように周設する防水キャップの上部を密着させ得るようにしてあるアンテナ装置における高周波信号受信部において、上記カバーの下方には中空で環状に形成した防水筒体を一体的に付設させ、その防水筒体は、防水囲壁より下方において上記コネクタ接続部を包被するように周設する防水キャップを取り囲み、内側に僅かな防水キャップ抜差用の環状の間隙が形成されるように配置し、上記防水筒体の上部位置は、上記防水囲壁の下端との間に、下方から入る空気をカバー内に向けて逃す為の間隙を隔てた状態で配置したものである。
【０００６】
【発明の実施の形態】
以下本願発明の実施の形態を示す図面について説明する。図１乃至図４は、パラボラアンテナと高周波信号受信部１とで構成されるアンテナ装置において、高周波信号受信部１の構成を示す。これらの図において、高周波信号受信部１は周知のように図示外のパラボラアンテナに対して一定の位置関係を保つように受信部支持アーム５を介して連結されている。この信号受信部１にあっては、パラボラアンテナからの信号を受入れる為の一次放射器２と、一次放射器２から入来する信号を周波数変換する為のコンバータ−本体３と、コンバータ−本体から信号を出力させる為の出力端子４と、信号受信部１を受信部支持アームの先部に連結する為に信号受信部から突出させた連結部材６と、上記一次放射器とコンバータ−本体とを包被するように配設されたカバー７とを備えている。
【０００７】
図示されている一次放射器２は周知のように先端を開口させたラッパ状の開口部２ａと、筒状中空の導入部２ｂとが一体的にダイカスト製法で作られている。
コンバータ本体３は一端３ａを導入部２ｂに連通させ、他端３ｂの側を開口させた構成であって、その開口部３ｂに板金をプレス加工した蓋３ｃを着脱自在に装着し、内部には任意構成による電子回路が装着されているプリント基板３ｄが備えさせてある。
【０００８】
出力端子４は同軸コネクター接続部とも称され、周知のように外部導体４ａと内部導体４ｃを備える。筒状形成の外被部分４ａは、導入部２ｂ及びコンバータ本体３の構造部分、コンバータ−本体の下方に付設した下向き筒状の台座１５、更には連結部材６等と一体的に導電材、例えばダイカスト製法で作られる。或は図示のように、外被部分（外部導体４ａ）を周知の如く別体形成し、接栓台座としての台座１５の中央部下方に設けたコネクタ接続部用の雌ねじ孔に対して上方の部材を電気的及び機械的に螺合一体化させることによっても形成される。外被部分４ａの内部の空間部４ｂにあっては周知のように絶縁材で保持された内部導体４ｃが備えら、これには上記プリント基板３ｄの回路が結線されている。
【０００９】
１８は、同軸ケーブル１７の先端に装着してあるコネクタを示す。１８ａは上記外被部分４ａの外周に周設された雄ねじに螺合させて上記コネクタを外被部分４ａに機械的に定着させると共に高周波的にも同軸ケーブルの外被に接続するようにしてあるナット部材、１８ｂは中心導体を示し、同軸ケーブル１７における芯線に接続してある。２０は周知のように弾力性のある材料で形成されている防水キャップの存在を示す。
上記台座１５の周囲には、下方が解放された有底環状の防水キャップ挿入間隙１５ｂを形成し、これを隔てた外周位置には、上方を台座１５に一体化した防水囲壁１５ｃを一体形成してある。
上記円柱状の台座１５の外周面１５ａには、上記台座の中央部下方に設けたコネクタ接続部４を包被するように周設する防水キャップ２０の上部を弾力的に密着させてある。防水キャップ２０の上部２０ａの口径寸法は、台座１５の外周面１５ａに対し、防水キャップ２０の上部の開口部を防水キャップ挿入間隙１５ｂに臨ませて、下方から軽く弾力性のある防水キャップ２０の下部を摘んで、弾力的な抵抗力に対抗しながら押し上げることが出来る程度の大きさに設定してある。
【００１０】
上記連結部材６は上記出力端子４における台座１５から前側の重心点に近いバランスの良い位置に図示のように、その台座１５と一体材でもって斜め前下方向に延設してある。上記連結部材６の上部位置６ｂから上方に向けては一次放射器２の元部２ｃとコンバータ−本体３における一次放射器側の一部３ａを支持する為の支持部材１４を一体材でもって形成してある。
一端が図示外のパラボラアンテナに対して一定の位置関係を保つ状態で装着されている断面角形の中空状の受信部支持アーム５の他端５ａは、図２に示されているよう上記連結部材６をアーム５の他端５ａの中に差込んだ状態で、抜差し自在の状態で一体的に連結してある。６ａはボルト１９を螺合させる為の雌ねじ孔で、これにボルト１９を螺合させ、図２の如き締付け状態では上記連結部材６の両端の部材６ｃはアーム５の内面に当接して両者は一体化している。
【００１１】
上記一次放射器２とコンバータ−本体３とを包被する上記のカバー７は、図１〜４に示される如く一次放射器の信号入来方向２４に向けて二分されており、夫々の材料は、合成樹脂（例えばＡＢＳ樹脂等の硬質樹脂）を用いて前側カバー要素８と、後側カバー要素９とが形成されている。
前側カバー要素８は、一次放射器の前面２ａを保護する為の包被要素８ａと、一次放射器２ｂの外周に空間２５を隔てて配置し、一次放射器２ｂを保護する為の包被要素８ｂと、コンバータ−本体３の前半部及び連結部材６の元部に位置する支持部材１５、特に其処に内蔵される出力端子４の部分１５を保護する為の包被要素８ｃと、後側カバー要素９における合着部９ｄに対向させる合着部８ｄとを備える。
【００１２】
後側カバー要素９は、コンバータ−本体３の後方と周囲とを保護する為の包被要素９ａ、９ｂと、コンバータ−本体３の下側（出力端子４の周囲部分）を保護する為の包被要素９ｃと、前側カバー要素８における合着部８ｄに対向させる合着部９ｄとを備える。
この後側カバー要素９の下方には、中空部９ｆを有し、環状に形成された防水筒体９ｅを一体的に形成具備させる。その防水筒体９ｅは、上記コネクタ接続部４を包被するように周設する防水キャップ２０を取り囲み、内側に僅かな防水キャップ抜差用の環状の間隙２８が形成されるように配置する。上記防水筒体９ｅの上部位置９ｇの図示の形状は、筒状形成のままであるが、上広がりのラッパ形状であってもよい。しかしこの上部位置９ｇは上記防水囲壁１５ｃの下端との間に間隙２９を設ける。この間隙２９は暴風雨のときにおいて、瞬間的に強力な風が下方から（矢印３０方向から）吹き上げた場合においても、防水キャップ２０の周囲に付着する水滴が上昇し、防水囲壁９ｅの内側における下方が解放された環状の防水キャップ挿入間隙１５ｂに押し上げられ、引き続き空気圧によって防水キャップの上部２０ａの内側における密着部を開いて通過し、コネクタ接続部４に至ることのないように、下方から（矢印３０から）入る空気をカバー９内に向けて逃す為の間隙２９である。この間隙２９があることにより、暴風雨時、瞬間的に強力な風が下方から（矢印３０から）上記コネクタ接続部４に向けて吹き上げた場合でも、一時的には防水筒体９ｅによってその勢力を弱め、それの内側の間隙２８に勢いよく圧入された雨水でも、上方の逃し間隙２９によって空気が四散することにより圧力は極度に低下し、防水囲壁９ｅの内側における環状の防水キャップ挿入間隙１５ｂに圧入される力を失う。このような状態で水滴が防水キャップの上部２０ａの内側における密着部を開いて通過する働きを防止する。
【００１３】
コンバータ−本体３の下側（出力端子４の周囲部分）を保護する為の包被要素９ｃの外縁の形状は、図３から明らかなように包被要素８ｃ及びアーム５の周囲の形状に対応させ、それら部材と相互に補完的な形状となし、相互間に雨水が入らないように極力隙間のない形状にしてある。なお僅かに入った水滴などは内部のダイカスト製法で作られている部材によって保護されている電子部品が存在する空間には入ることは出来ず、逃し間隙２９から排水される。２７は、必要に応じて包被要素９ｃに設けた水抜き孔である。
【００１４】
カバー７における各複数の第１及び第２係合片１０、１１は、夫々元部を、前側カバー要素８と、後側カバー要素９に対して先端部が噛合わせ方向に弾力性が得られるように一体的に装着してある。係合片１０の先端には係合爪１０ａが形成され、一次放射器２に対する矢印２４方向からの装着状態においてはコンバータ−本体３の周壁に設ける４〜６ヶの凸部１０ｂに対して図示の如く夫々係止するようにしてある。
対応数の係合片１１の先端には係合爪１１ａが形成され、一次放射器２に対して前側カバー要素８を装着した後、後側カバー要素９を装着した状態においては係合片１０の中間に設ける透孔１０ｃの孔縁に図示の如く係止するようにしてある。上記の前側カバー要素８と、後側カバー要素９との合着部１６は図４のように双方に凹部と凸部を補完可能に形成し、雨水の浸入を防止できるようにしてある。
また上記合着部１６の位置は、図からも明らかなように水漏があってもコンバータ−本体３に入らないように、上記出力端子４の位置の上方に配置され、前側カバー要素８を図２の左から被せ付け、次に後側カバー要素９を図２の右から被せ付けた場合に、嵌め付け可能に出力端子４の最大太径部の位置（図３参照）に合着部１６の位置を定めている。
【００１５】
上記構成のものにあっては、ダイカスト製法または他の導電材料を用いての鋳造法によって一体的に成形された一次放射器２の本体、コンバータ−本体３の本体、出力端子４の台座１５（必要に応じては外被部分４ａも共に）、連結部材６等から成る基体に対して、順次、プリント基板３ｄ、内部導体４ｃ等の周知とする必要な内部要素を組付け、矢印２４方向から入来する信号を変換して同軸ケーブル１７に向けて送出可能に構成する。
次に図２の左からと、右から、前側カバー要素８と、後側カバー要素９とを相対的に上記基体に図２の状態に被せ付け、相手方に向けて張出すリブ２ｄ、９ｈ等を介して一体化させる。この組み付け作業において、上記後側カバー要素の下方に、図４に示されているように中空で環状に形成した防水筒体９ｅが一体的に付設されていても、その形成位置は、上記合着部１６の位置を中心にして一部（約半分）を張出す状態に形成してあるから、前側カバー要素８と、後側カバー要素９とを相対的に合着させる場合、予め突設させてある出力端子部材４ａを防水筒体９ｅの中空部９ｆに差し通すと手間少なく簡単に合着することができる利点があり、その後図２の状態に合着固定させればよい。
次に受信部支持アーム５の他端５ａを連結部材６に被せ付け、図示の如くボルト１９を用いて固着する。その場合上記他端５ａの先端は上記包被要素８ｃの下端に密着するように装着する。また、各所には必要な水密用パッキンを配置する。１２は周知のコルゲートを示し、そこの外側にはパッキン（シール材）２１を周設する。また蓋の周囲にもパッキン（シール材）２２を周設する。出力端子４の上部の空間にも防水用のパッキン（シール材）２３を設ける。このようにして一次放射器２の本体、コンバータ−本体３の本体、出力端子４の外被部分４ａにおける夫々の内部に雨水が浸入しないようにしてある。
【００１６】
【発明の効果】
以上のように本願発明は、台座１５の周囲に、防水キャップ挿入間隙１５ｂを隔てて防水囲壁１５ｃを形成し、それの内側には、台座の中央部に設けたコネクタ接続部４を包被するように防水キャップの上部２０ａを水密的に配置出来るようにするものであるから、コネクタ接続部を暴風時の雨水から守ることが出来る効果がある。その上、
本願発明にあっては、一次放射器とコンバータ−本体とを包被するようにしたカバー９の下方には中空環状の防水筒体９ｅを一体的に付設し、上記コネクタ接続部を包被すべき防水キャップ２０を取り囲み、防水筒体９ｅの上部位置は、上記防水囲壁１５ｃの下端との間に、下方から入る空気をカバー内に向けて逃す為の間隙２９を隔てた状態で配置するものであるから、暴風時の雨水が瞬間的な強風で防水筒体９ｅの内側の間隙２８を強い圧力で押し上げられるようなことがあっても、それよりも上方の「空気をカバー内に向けて逃す為の間隙２９」でその圧力を低下させ、上記防水キャップ挿入間隙１５ｂ内に入り込んだ水滴を更に押上げるような圧力を消失させ、上記コネクタ接続部４を水滴から守る効果がある。
【図面の簡単な説明】
【図１】（Ａ）は、信号受信部の正面図、（Ｂ）は、左側面図、（Ｃ）は、右側面図。
【図２】（Ａ）は、図３のＩ−Ｉ位置において、一部を破断した信号受信部の正面図、（Ｂ）はIIーII線拡大図。（Ｃ）は、（Ａ）図のＣ部分拡大図。
【図３】信号受信部の底面図。
【図４】（Ａ）は、一対のカバー要素を分離させた状態を示す正面図、（Ｂ）はＢーＢ’線部分拡大図。
【符号の説明】
１・・・高周波信号受信部、２・・・一次放射器、３・・・コンバータ−本体、４・・・出力端子、５・・・受信部支持アーム、６・・・連結部材、７・・・カバー、８・・・前側カバー要素、９・・・後側カバー要素、９ｅ・・・防水筒体、１０・・・第１係合片、１１・・・第２係合片、１４・・・支持部材、１５・・・台座、１５ｂ・・・防水キャップ抜差用の環状の間隙、１５ｃ・・・防水囲壁、１６・・・合着部、２８・・・防水キャップ抜差用の環状の間隙、２９・・・空気をカバー内に向けて逃す為の間隙。
【図１】
0004611582.tif 000002
【図２】
0004611582.tif 000003
【図３】
0004611582.tif 000004
【図４】
0004611582.tif 000005